(57)【要約】【課題】ソレノイド部に呼吸経路を形成する際、コネクタ部の配置如何にかかわらず回転自由度を多くするとともに、異物の侵入を防止できるソレノイドバルブを提供すること。【解決手段】ソレノイドバルブ１のソレノイド部１０は、段つき筒状のヨーク１１の後部に、呼吸経路１８を有するエンドプレート１７を装着して構成する。呼吸経路１８は、エンドプレート１７の外面側に形成する外部開口部１８１と、内面側に形成する内部開口部１８２と、中間通路１８３とエンド通路１８４とを有して形成する。中間通路１８３は、エンドプレート１７の内面側に溝状に形成するとともに、ヨーク１１とプランジャ収納部１２１との合わせ面を通るように形成する。外部から侵入する異物は中間通路１８３内でせき止めされる。【選択図】図１
2005188630.tif 000002
【特許請求の範囲】
【請求項１】
コイルの励磁で磁気回路を形成する固定子及びヨークと、前記コイルの励磁で摺動可能に配置される可動子とを備えてソレノイド部が構成され、前記ソレノイド部に、前記可動子の摺動に対して発生する流体の容積変化を吸収するための呼吸経路を形成する電磁弁装置であって、
前記ヨークの端部には、前記ソレノイド部を閉塞するエンドプレートが配置され、前記エンドプレートには、外部と連通する呼吸経路が形成され、
前記呼吸経路が、前記エンドプレートの前記ソレノイド部外面側に形成される外部開口部と前記ソレノイド部内面側に形成される内部開口部とを有し、前記外部開口部と前記内部開口部とが屈曲路を有する中間通路で連通されていることを特徴とする電磁弁装置。
【請求項２】
前記屈曲路の一部が、前記ヨークと前記ヨークの内周面に配置された筒状の磁性材収容部との合わせ面に形成されていることを特徴とする請求項１記載の電磁弁装置。
【請求項３】
前記合わせ面が段状に形成されていることを特徴とする請求項２記載の電磁弁装置。
【請求項４】
前記中間通路が、前記エンドプレートの前記ヨーク当接面との対向する面に、円周状に形成されていることを特徴とする請求項１，２又は３記載の電磁弁装置。
【請求項５】
前記エンドプレートには、ソレノイド部側端面において、円周壁部を挟んで外周側通路と内周側通路とが形成されるとともに、前記外周側通路と内周側通路とは連絡通路で連接され、前記連絡通路が、前記エンドプレートの軸心に対して前記外部開口部と離隔した位置に配置されていることを特徴とする請求項１，２，３又は４記載の電磁弁装置。
【請求項６】
前記エンドプレートが非磁性材で形成されていることを特徴とする請求項１，２，３，４又は５記載の電磁弁装置。
【発明の詳細な説明】
【技術分野】
【０００１】
本発明は、油中内に配置されるソレノイドバルブに関し、さらに詳しくは、コイルの励磁で磁界を形成する固定子（固定コア）とヨーク、及び可動子（プランジャ）とを備え、可動子の摺動に対して発生する流体の容積変化を吸収するための呼吸経路を形成するソレノイド部を備えたソレノイドバルブに関する。
【背景技術】
【０００２】
従来、油中内に配置されて呼吸経路を形成したソレノイド部を備えて構成されるソレノイドバルブは、例えば、特開２００１−２６３５２１に示すように、ソレノイド部を構成するヨークの後部に配置されたプレートに外部からの油を導入する導入孔を呼吸経路として形成していた。
【０００３】
これによると、図９に示すように、ソレノイドバルブ９０は、ソレノイド部９１とスプール弁部１００とを備えて構成されている。ソレノイド部９１は、筒状に形成されるコイル９２と、コイル９２に内蔵される固定コア９３、ヨーク９４と固定コア９３に向かって接近・離隔するようにヨーク９４内に摺動可能に配置されるプランジャ９５とを備えている。プランジャ９５には固定コア９３内を挿通するシャフト９６が装着され、プランジャ９５の摺動とともに軸方向に沿って移動する。
【０００４】
一方、スプール弁部１００は、シャフト９６に連接されて軸方向に摺動可能なスプール１０１と、スプール１０１を覆うように配置するケース体としてのスリーブ１０２とを備えて構成されている。スプール１０１は軸方向に沿って軸部に対して大径に形成される複数の弁部１０３ａ、小径に形成される弁部１０３ｂを有し、スリーブ１０２には、軸方向に沿って並設して形成される複数のポート１０４が配置されている。そして、スプール１０１の軸方向への適度な移動によりスプール１０１の各弁部１０３ａが、スリーブ１０２の各ポート１０４の開口量を調整して、出力ポート２２から負荷側に供給する作動油圧を調整可能に構成されている。
【０００５】
一方、プランジャ９５の摺動によりシャフト９６を介してスプール１０１を軸方向に移動する際、容積変化を起こすためその体積分だけソレノイドバルブ９０の外部から油を導入しないと応答性が悪化するために、ソレノイド部９０においては外部から油を導入するための呼吸経路が形成されている。
【０００６】
上記の公報に示されるソレノイドバルブ９０では、呼吸経路は、ヨーク９４の後方でソレノイド部９１を塞いでいるプレート９７に油の導入孔９７ａを設けている。
【特許文献１】特開２００１−２６３５２１公報（図１参照）
【発明の開示】
【発明が解決しようとする課題】
【０００７】
しかし、前述の公報に示されるソレノイドバルブ９０において、プレート９７は、ヨーク９４の後方でヨーク９４・コイル９２を覆うケース体９８の後端部でカシメられることによってソレノイド部９１に一体的に結合されている。油の導入孔９７ａはプレート９７に単に孔を明けただけであることから、外部の油は、異物を含んだ状態で油溜まり部９９に導入されることとなる。異物は、切粉や摩耗粉が多く含まれていて、摩耗粉がソレノイド部９１内の摺動面に付着すると摺動面に疵が付いて、固定子や可動子を損傷させることとなって清浄な作動が行われることができなかった。従って、呼吸経路を形成するにあたっては、ゴミや異物の侵入防止を図ることが必要となっていた。
【０００８】
これを解決するために、呼吸経路をコネクタ部との取付部位において形成していた。これは、ヨークの内面に呼吸経路を設け、通路容積を呼吸充填以上になるように設定しており、この呼吸経路はコネクタを挿入する切り欠きを通じて外部へ開放していることから、呼吸系路を通して磁気回路内部へ異物が入り込むのを防ぐため、地方向にコネクタを設定する必要があったために、コネクタ部の搭載仕様の自由度が限定されることとなっていた。つまり、ソレノイドバルブの搭載仕様によって、例えば、コネクタ部が上方位置となるようなレイアウトを要望されると、呼吸経路が上方位置に配置されることとなり、油中内の異物が上方からソレノイド部内に侵入しやすくなることから、ソレノイドバルブの作動不良を起こしやすく新たな課題を発生させることとなっていた。
【課題を解決するための手段】
【０００９】
本発明は、上述の課題を解決するものであり、ゴミや異物の侵入防止を図るとともに、ソレノイド部が回転方向に対して自由度を有するように呼吸経路を形成する電磁弁装置を提供することを目的とするものであり、目的を達成するために、請求項１記載の発明では、
電磁弁装置は、固定子・ヨーク・可動子を有してヨークの後端部にソレノイド部を閉塞するようにエンドプレートを装着している。エンドプレートには、屈曲路を有する呼吸経路を備えて、異物の侵入を防止している。つまり、コイルを励磁することによって、ヨーク・固定コア・プランジャとの間には磁気回路が形成され、これによってプランジャが固定コアに対して接近する方向に摺動する。プランジャが摺動することによって、ソレノイド部内のプランジャの周りに収納されている油が容積変化を起こすことになり、電磁弁装置が設置されている周りの油を呼吸経路から導入することによって短時間で正常に作動する。
【００１０】
この呼吸経路を、エンドプレートに形成することによって、コネクタ部の配置如何に係らず電磁弁装置のレイアウトを配置できることから、電磁弁装置のレイアウトの自由度を高くすることができる。特に、エンドプレートに形成する呼吸経路は、ソレノイド部の外側に形成される外部開口部と、ソレノイド部の内側に形成される内部開口部との間に屈曲路を有する中間通路を形成することによって、外部から侵入する異物を屈曲路内に貯溜させるようにすれば、ソレノイド部内に侵入しにくくなることから、ゴミや異物のソレノイド部内への侵入を防止することができ、電磁弁装置を正常に作用させることとなる。
【００１１】
請求項２記載の発明は、エンドプレートに形成される呼吸経路の中間通路が、ヨークとヨークに内嵌された収納部との合わせ面を通って屈曲していることから、ソレノイド部内に導入する油とともにソレノイド部内に侵入しようとする異物が、外部開口部から通路を通って中間通路内を移動する際、異物はヨークと収納部との間の狭い隙間間に移動することとなりその部位で貯溜されることとなる。しかも、ヨークと収納部はいずれも磁性材で形成されていることから、鉄分を多く含んだ異物はヨークと収納部間でせき止められるとともにヨークまたは収納部に吸着されてその部位で留まり、ソレノイド部内への侵入を防止することができる。
【００１２】
また、請求項３記載の発明では、請求項２記載のヨークと収納部とは、段差を形成するように嵌合していることから、呼吸経路内を移動する異物は、段差部でせき止められて、段差部から先への侵入がしにくくヨークと収納部との合わせ面に貯溜されて、ソレノイド部内への侵入を防止することができる。
【００１３】
請求項４記載の発明では、外部開口部から呼吸経路内を通って侵入する異物が、エンドプレートのソレノイド部側面に達すると、エンドプレートのヨーク側端面でヨークの円周方向にそって移動することとなるから、エンドプレートの内部開口部までに達する距離が長くなって、途中の経路内で沈殿して貯溜されやすく、そのため、ソレノイド部内への侵入を防止できることとなる。
【００１４】
さらに請求項５記載の発明では、外部開口部から呼吸経路内を通って侵入する異物が、エンドプレートのソレノイド部側面に達すると、円周状に沿って形成された円周壁部の外側の通路に沿って移動され、さらに一端の連絡通路から内側通路に沿って移動することとなり、エンドプレートの内部開口部までに達する距離が長くなって、途中の経路内で沈殿して貯溜されやすく、そのため、ソレノイド部内への侵入を防止できることとなる。
【発明を実施するための最良の形態】
【００１５】
以下、本発明の一実施形態を図面に基づいて説明する。本形態で説明する電磁弁装置は、ソレノイド部の後端部に配置したエンドプレートに呼吸経路を形成するものである。なお、以下の説明にあたっては、電磁弁装置のスプール弁側（図１中、左側）を前側といい、エンドプレート側（図１中、右側）を後側という。
【実施例１】
【００１６】
図１は電磁弁装置（以下、ソレノイドバルブという）の断面を示すものであり、第１の実施形態によるソレノイドバルブ１は、図１に示すように、ソレノイド部１０とスプール弁部２０とからなり、スプール弁部２０の一端にソレノイド部１０の一端をカシメ結合することによってソレノイド部１０とスプール弁部２０とを一体的に結合している。
【００１７】
実施形態のソレノイド部１０は、段付き筒状のハウジングを形成する磁性材のヨーク１１と、ヨーク１１に内嵌されて中空状に形成された収納部（以下、固定コアという）１２と、ヨーク１１に内蔵されて固定コア１２の周りを巻装するコイル１３と、固定コア１２に摺動可能に内蔵されるプランジャ１４と、ヨーク１１の外周面の一部に外装されるコネクタ部１５と、ヨーク１１の後方に配置してソレノイド部１０の後部を閉塞する非磁性材のエンドプレーと１７と、を備えて構成されている。
【００１８】
ヨーク１１は前部にスプール弁部２０とカシメ結合するカシメ部１１１を形成するとともに後部にエンドプレート１７の前面部と当接するプレート当接部１１２を有してコイル１３を内嵌している。
【００１９】
固定コア１２は、後部にプランジャ収納部１２１を形成し、前部にスプール弁部２０側の端部にスプール弁部２０のソレノイド部１０側端面と当接するためのフランジ部１２２を形成する。フランジ部１２２は外周面をヨーク１１から延設されたカシメ部１１１に内嵌されている。カシメ部１１１はスプール弁部１０の端面の外周面まで延設され、スプール弁部１０の端面の外周面をカシメルことによって、スプール弁部２０と一体的に結合している。さらに、固定コア１２のプランジャ収納部１２１は、プランジャ１４を摺動可能に内嵌するとともに、プランジャ収納部１２１の後端面は、ヨーク１１のプレート当接部１１２より後方に突出してエンドプレート１７に内嵌されている。
【００２０】
また、プランジャ１４は、コイル１３の励磁によって固定コア１２のプランジャ収納部１２１に摺動可能に配置されるとともに、軸方向に貫通する図示しない流体通路を形成している。そして、プランジャ１４の前端面は、ピン１６の一端が当接され、ピン１６の他端は、固定コア１２内を貫通してスプール３０に当接している。これによって、プランジャ１４の摺動によりピン１６がソレノイドバルブ１の軸心方向に移動してスプール３０を軸心方向に往復移動させる。
【００２１】
上記の構成により、コイル１３が通電されると、コイル１３からヨーク１１・固定コア１２・プランジャ１４に磁束が流れて磁気回路が形成され、ピン１６を介して、プランジャ１４が、図１中、左側、つまりスプール３０を押圧する方向に移動する。
【００２２】
また、コイル１３が非通電状態であれば、プランジャ１４は、磁気回路が解除されて、図１中、右側、つまりスプール３０から離れる方向に移動する。それに伴って、スプール３０は、図１中、右側に向かって摺動することとなる。
【００２３】
一方、ヨーク１１における後端部（図１中、右側）には、ヨーク１１、固定コア１２端面とエンドプレート１７との間に油溜り１９が形成されていて、ソレノイドバルブ１の周りの油が、エンドプレート１７に形成された呼吸経路１８を通って油溜り１９に向かって導入する。
【００２４】
呼吸経路１８は、エンドプレート１７内に配置されて外部から侵入する異物を除去しやすいように屈曲して形成される。しかもこの呼吸経路１８は、固定コア１２内に充填されている油の容積変化（縮小分）に相当する長さ以上で形成されることが望ましい。
【００２５】
前述の呼吸経路１８は、第１の形態としては、図２〜３に示すように、円板状に形成されたエンドプレート１７において、ソレノイド部１０と反対側の外面に形成された外部開口部１８１と、ソレノイド部１０側の内面中央部で凹状に形成された内部開口部１８２と、エンドプレート１７の内側面に形成されるとともにヨーク１１端面に対向して円周状に形成される溝状の中間通路１８３とから形成されている。中間通路１８３と内部開口部１８２とは直線溝状のエンド通路１８４で連通されている。エンド通路１８４は、エンドプレート１７をソレノイド部１０に組付ける際に、異物がプランジャ収納部１２１との嵌合部を通過したとしても内部開口部１８２に侵入しにくいように、エンドプレート１７の下方に配置し、中間通路１８３の下方から上方に向かって立ち上がる位置となるようにエンドプレート１７を組付けることが望ましい。
【００２６】
内部開口部１８２は固定コア１２のプランジャ収納部１２１の外周面との間に油を通過させる僅かな隙間を有してプランジャ収納部１２１の外周面に嵌合可能に形成されている。そして、内部開口部１８２は、ヨーク１１のプレート当接部１１２後端面と当接するとともに固定コア１２のプランジャ収納部１２１外周面に僅かな隙間を有して外嵌され、内部開口部１８２の底面１８２ａとプランジャ１４の後端面との間で、前述の油溜り１９を形成している。
【００２７】
エンドプレート１７の内部開口部１８２が固定コア１２のプランジャ収納部１２１に外嵌することによって、呼吸経路１８の中間通路１８３に、呼吸経路１８のエンド通路１８４と内部開口部１８２との間に段差部１８５を形成することとなる。この段差部１８５によって、異物をせき止めして異物の内部開口部１８２への侵入を防止することとなる。
【００２８】
一方、スプール弁部２０は、一端を開口する筒状に形成するとともにスプール３０を軸方向に摺動可能に内蔵するスリーブ２１と、スリーブ２１の前端部（ソレノイド部１０と反対側の端部）でスプール３０を付勢するコイルばね４０と、スリーブ２１の一端でスリーブ２１に螺合してコイルばね４０を支持する止め栓４１と、を備えて構成されている。
【００２９】
スリーブ２１には、出力ポート２２・入力ポート２３・フィードバックポート２４が、ソレノイド部１０側に向かって順に配置されるとともに、フィードバックポート２４のソレノイド部１０側に第１のドレンポート２６が配置され、さらに、出力ポート２２のソレノイド部１０と反対側には、ソレノイド部１０側と反対の方向から順に第２のドレンポート２７・第３のドレンポート２８が形成されている。
【００３０】
一方、スプール３０には、フィードバックポート２４のソレノイド部１０側に配置される小径の第１の弁部３１と、出力ポート２２・入力ポート２３に対向して各口径量を調整する大径の第２の弁部３２と、第３のドレンポート２８に対向して第３のドレンポート２８を開閉する大径の第３の弁部３３と、が形成され、第１の弁部３１の後端面はピン１６と当接するように配置されている。
【００３１】
そして、第３の弁部３３がスプール３０の移動により第３のドレンポート２８を徐々に開くように移動すると、入力ポート２３から出力ポート２２に流れる油量を少なくして第３のドレンポート２８に流れる油量を多くし、逆に第３の弁部３３が第３のドレンポート２８を閉じる方向に移動すると、入力ポート２３から出力ポート２２に流れる油量を多くすることになる。さらに、第３の弁部３３の前端部には、突出軸部３５が形成されて前述のコイルばね４０が外装される。
【００３２】
入力ポート２３は、図示しないタンクから供給される作動油が流入されて出力ポート２２に排出可能とするとともに、出力ポート２２は、外部においてフィードバックポート２４に連通して、排出された作動油の一部をフィードバックポート２４からフィードバック室２９に導入するようになっている。フィードバック室２９は大径の第２の弁部３２と小径の第１の弁部３１との間に形成されることになるので、フィードバック室２９に導入された作動油は、大径の第２の弁部３２と小径の第１の弁部３１との面積差により、大径の弁部３２側、つまりスプール３０を前方（図１中、左側）に押圧することになる。
【００３３】
従って、スプール３０は、コイルばね４０の付勢力と、ソレノイド部１０におけるプランジャ１４が吸引されてスプール３０を押圧する力及びフィードバック室２９の油圧でスプール３０を押圧する力と、がつり合う位置で静止することとなる。
【００３４】
次に上記のように構成されたソレノイドバルブ１の作用について説明する。
【００３５】
まず、ソレノイド部１０におけるコイル１３が非通電状態であれば、プランジャ１４は、スプール３０を押圧する力がないため、スプール３０は、コイルばね４０の付勢力と、フィードバック室２９における作動油のスプール３０を押圧する力と、がつり合った位置で静止する。つまり、この状態では、入力ポート２３と出力ポート２２とが連通可能となるような位置に第２の弁部３２が移動されていて、入力ポート２３から流入した作動油が出力ポート２２に流れる流量は増加するとともに、第３のドレンポート２８は第３の弁部３３によって閉鎖されることから、出力ポート２２からライン（例えば、車両における自動変速機）側に流れる油量が最大となる。
【００３６】
一方、フィードバック室２９において、ライン側から流入する作動油には、例えば、自動変速機で作動されたギヤの磨耗粉等の異物が混入されている。フィードバック室２９は高い圧力になっていることから、作動油の一部は異物とともに第１の弁部３１側に流れる。
【００３７】
第１の弁部３１とスリーブ２１の内周面との間には、第１の弁部３１が摺動するための僅かな嵌合隙間を有していることから、異物を伴った作動油の一部がこの嵌合隙間を通って流れ込む。しかし、第１の弁部３１とソレノイド部１０との間には、スリーブ２１に形成された第１のドレンポート２６が形成されていることから、第１の弁部３１外周面とスリーブ２１の内周面との間を通った異物は、第１のドレンポート２６から外部に排出されるように地向きにポートを配置することでリニアソレノイド内部へ異物が入らないようにしている。
【００３８】
コイル１３が通電されると、ヨーク１１・固定コア１２・プランジャ１４に磁束が流れて磁気回路が形成される。これによってプランジャ１４は固定コア１２に対して、図１中、左方向に移動してスプール３０をコイルばね４０の付勢力に抗して左方向に移動させる。
【００３９】
スプール３０は、コイルばね４０の付勢力と、フィードバック室２９における油圧のスプール３０への押圧力及びソレノイド部１０における磁気吸引力によるプランジャ１４のスプール３０への押圧力と、のつり合った位置で静止する。
【００４０】
この位置では、第２の弁部３２が入力ポート２３から流れる作動油の量を低減させ、第３のドレンポート２８から排出する作動油の量を多くするように働くことから、出力ポート２２から負荷側に流れる作動油圧を低減することとなる。
【００４１】
一方、フィードバック室２９に流入した油は、第１のドレンポート２６から外部に排出される。
【００４２】
同時に、ソレノイド部１０におけるヨーク１１の外部の周りに貯留されている油がプランジャ１４の左方向への移動により、プランジャ収納部１２１内の容積変化を発生して圧力低下を起こし、それによって外部の油がエンドプレート１７の呼吸経路１８を通って油溜り１９に導入してプランジャ収納部１２１内に補充される。
【００４３】
ソレノイド部１０の入り切りによる油の呼吸経路１８からのソレノイド部１０内への異物の侵入の際、異物は呼吸経路１８の屈折された経路中で下方に沈み込むことによって、ヨーク１１内の油溜り１９内には侵入することができない。
【００４４】
つまり、ソレノイド部１０の外部から導入される油は、エンドプレート１７の外部開口部１８１から侵入して中間経路１８３を通ることとなる。この際、中間経路１８３がエンドプレート１７の内側面（ソレノイド部１０側）に配置された円周状の溝部を形成していることから、侵入した異物はヨーク１１のプレート当接部１１２の後端面と対向する位置から、さらに、固定コア１２のプランジャ収納部１２１の外周面を通って内部開口部１８２に侵入しようとする。
【００４５】
エンドプレート１７と固定コア１２のプランジャ収納部１２１との嵌合隙間は、油を通して異物を通しにくい程度に形成されていることから、異物は、この嵌合隙間間内に留まりその先には侵入しない。さらに、プランジャ収納部１２１は磁性材で形成され、異物は摩耗粉が多く鉄製で形成されていることから、コイル１３の励磁により異物はプランジャ収納部１２１の外周面に吸着されることとなる。この際、コイル１３の励磁が解除されても、プランジャ収納部１２１には残留磁気が発生していて異物を吸着状態にしておくこととなる。
【００４６】
この呼吸経路１８は、外部開口部１８１から内部開口部１８２に至るまでに屈曲されていることが重要であり、屈曲されていることにより異物が沈殿しやすくなる。第１の形態では、外部からの油の浸入は、外部開口部１８１からエンドプレート１７の内側面に達すると、略半周にわたって配置されて迷路を形成する中間通路１８３を通り、エンド通路１８４から内部開口部１８２に導入することになる。油の浸入と同時に呼吸経路１７に侵入する異物の進路は、外部開口部１８１から中間通路１８３に進む際に屈曲され、中間通路１８３自体で屈曲され、さらに、中間通路１８３からストレートの溝部１８４に進む際に屈曲され、また、プランジャ収納部１２１の嵌合部から内部開口部１８２に進む際に屈曲されて、多くの屈曲部位を経過することによって、それぞれの屈曲部位で沈殿するとともに、固定コア１２のプランジャ収納部１２１で吸着されて内部開口部１８２内へは到達しない。
【００４７】
なお、呼吸経路１８は上記形態でなく他の形態でもよい。例えば、図２に示す呼吸経路の場合、中間通路１８３が半円周状に形成されているが、半円周状の中間通路１８３がジグザグ状に形成されているものであってもよい。
【００４８】
また、図４〜５に示すように、呼吸経路１８Ａが、エンドプレート１７の内面中央部に凹状に形成される内部開口部１８２Ａと、エンドプレート１７との外面において、内面に形成される内部開口部１８２Ａより下方の位置にある外部開口部１８１Ａと、外部開口部１８１Ａからエンドプレート１７を貫通した後、内部開口部１８２Ａに向かって直線溝状に形成される中間通路１８３Ａと、を備えて形成されてもよい。この形態では、屈曲部位は、外部開口部１８１Ａと中間通路１８３Ａとの間、中間通路１８３Ａと内部開口部１８２Ａとの間で固定コア１２のプランジャ収納部１２１との段差部１８５Ａに形成されることとなる。
【００４９】
また、別の呼吸経路１８Ｂは、図６〜７に示すように、エンドプレート１７の内側中央部に形成される内部開口部１８２Ｂと、エンドプレート１７の外側面に配置されて内部開口部１８２Ｂより下方の位置に形成される外部開口部１８１Ｂと、エンドプレート１７の内側面に形成されて内部開口部１８２Ｂの周りに円周上の略全周にわたって形成される壁部１８６と、外部開口部１８１Ｂに連接して壁部１８６の外側に形成される外溝部１８７と、内部開口部１８２Ｂの外周面に連接して壁部１８６の内側に形成される内壁部１８８と、壁部１８６の一部に配置されて外溝部１８７と内溝部１８８とを連通する連絡通路１８９と、内溝部１８８におけるエンドプレート１７の軸心に対して反対側の位置に形成されて内溝部１８８Ｂと内部開口部１８２Ｂとを連通するエンド通路１９０と、を有して形成されている。
【００５０】
内壁部１８８の溝底部は内部開口部の底面より浅く形成され、外壁部１８７と内壁部１８８と連絡通路１８９で中間通路１８３Ｂを形成している。また、連絡通路１８９はエンドプレート１７の軸心に対して外部開口部１８１Ｂの位置と反対側に配置されるとともに、連絡通路１８９の幅は、油を通して異物の通過をできるだけ妨げるように、狭く形成することが望ましい。
【００５１】
従って、この形態においては、外部開口部１８１Ｂから浸入した油は、内部開口部１８２Ｂが固定コア１２のプランジャ収納部１２１と嵌合することによって、内部開口部１８２Ｂと内溝部１８８が遮断されることから、エンドプレート１７の外側面から内側面に移動すると、外溝部１８７に入って約半周した後、連絡通路１８９から内溝部１８８Ｂに浸入し、内溝部１８８で約半周した後、エンド通路１９０から内部開口部１８８Ｂに達する。
【００５２】
そして油とともに浸入する異物は、中間通路１８３Ｂが外溝部１８７で迷路を形成し内溝部１８８で異物の吸着部を形成することとなるから、外溝部１８７を移動中に、外溝部１８７底部に沈殿するとともに、連絡通路１８９で内溝部１８８内への浸入を妨げられ、さらに、内溝部１８８に進入した一部の異物は、内溝部１８８内で固定コア１２のプランジャ収納部１２１に吸着されて、内部開口部１８２Ｂには到達しない。
【００５３】
上記のように構成されたソレノイドバルブ１は、エンドプレート１７が非磁性材で形成されていることから、呼吸経路１８が各種の形態を形成したとしても、コイル１３の励磁で発生する磁気回路は、ヨーク１１・固定コア１２・プランジャ１４との間で形成されることとなって、プランジャ１４の右方への移動時、つまりプランジャ１４がエンドプレート１７に接近しても、プランジャ１４がエンドプレートに磁気の影響を受けないことから、吸着力は、図８のグラフに示すように、プランジャ１４のストロークが長い位置（エンドプレート１７に接近した位置）であっても、大きく低下することはない。
【００５４】
上記のように、実施形態のソレノイドバルブ１は、コイル１３を励磁することによって、ヨーク１１・固定コア１２・プランジャ１４との間には磁気回路が形成され、これによってプランジャ１４が固定コア１２に対して接近する方向に摺動する。プランジャ１４が摺動することによって、固定コア１２のプランジャ収納部１２１内に貯留されている油が体積変化を起こすことになり、ソレノイドバルブ１が設置されている周りの油を呼吸経路１８から導入することによって補充される。この呼吸経路１８を、ソレノイド部１０の後端部にヨーク１１のプレート当接部１１２に当接するように配置するエンドプレート１７に形成することによって、ソレノイド部１０に装着するコネクタ部１５の配置如何に係らず、呼吸経路１８を自由な位置に配置することができる。特に、内部開口部に連通するエンド通路を下方に配置することによって、エンド通路まで侵入した異物の内部開口部への侵入を防止することができ、図に示すように吸着力を向上することができる。
【００５５】
また、呼吸経路１８の中間通路１８３に屈曲路を設けたり、隙間の小さい２部材の嵌合部を通したりすることによって、異物のせき止めをして内部開口部１８２への侵入を防止することができる。
【００５６】
さらに、エンドプレート１７を非磁性材で形成することによって、プランジャ１４のストロークの長い位置においても吸着力を低下させないようにすることができる。
【図面の簡単な説明】
【００５７】
【図１】本発明の第１の形態を示すソレノイドバルブの正面断面図である。
【図２】図１におけるエンドプレートの呼吸経路を示す斜視図である。
【図３】図１におけるソレノイド部を示す拡大断面図である。
【図４】本発明の第２の形態によるソレノイドバルブの一部正面断面図である。
【図５】図４におけるエンドプレートを示す斜視図である。
【図６】本発明の第３の形態によるソレノイドバルブの一部正面断面図である。
【図７】図６におけるエンドプレートを示す側面図である。
【図８】図１における吸引力特性グラフである。
【図９】従来のソレノイドバルブを示す断面図である。
【符号の説明】
【００５８】
１、ソレノイドバルブ
１０、ソレノイド部
１１、ヨーク
１２、固定コア
１３、コイル
１４、プランジャ
１５、コネクタ部
１６、ピン
１７、エンドプレート
１８、呼吸経路
１８１、外部開口部
１８２、内部開口部
１８３、中間通路、
１８４、エンド通路
１８７、外溝部（外周側通路）
１８８、内溝部（内周側通路）
１８９、連絡通路
１９０、エンド通路
２０、スプール弁部
２１、スリーブ
２２、出力ポート
２３、入力ポート
２４、フィードバックポート
３０、スプール
３１、第１の弁部
３２、第２の弁部
３３、第３の弁部                                                                               
【図１】
2005188630.tif 000003
【図２】
2005188630.tif 000004
【図３】
2005188630.tif 000005
【図４】
2005188630.tif 000006
【図５】
2005188630.tif 000007
【図６】
2005188630.tif 000008
【図７】
2005188630.tif 000009
【図８】
2005188630.tif 000010
【図９】
2005188630.tif 000011